(57)【要約】        【課題】  リールテープの凸部と凹部とが同一のライン上に停止表示されることが通常よりも頻繁に起こることを遊技者が直接肌で感じることで、役抽選の結果が当選であることを知ることができる。        【解決手段】    凸部と凹部とをそれぞれ有する回転リール（例えばリールユニット３０）の停止制御を行うことで、凸部と凹部とを同一のライン上に停止表示させるための特定停止制御手段３２１と、役抽選手段により役が当選している場合に、役に外れている場合に比較して、特定停止制御手段により停止制御を実行する確率が高く設定されたリール停止位置選択手段３２２とを備えた。    【選択図】    図１
2008245904.tif 000002
【特許請求の範囲】
【請求項１】
外周に複数種類の図柄が表示され、左右方向に横並びに並んだ複数個の回転リールと、
前記複数個の回転リールが臨む表示窓と、
前記表示窓に表示され、前記複数個の回転リールにまたがり、当該回転リールの図柄の役の入賞の判定を行うための複数本のラインと、
前記回転リールを個別に回転可能な駆動手段と、
メダルの投入を条件に、前記駆動手段を駆動することにより、前記回転リールの回転を開始させるためのスタートスイッチと、
前記各回転リールにそれぞれ対応し、前記駆動手段の駆動を停止させることで、当該回転リールの回転を個別に停止可能な複数個のストップスイッチと、
前記駆動手段、前記スタートスイッチ及び前記ストップスイッチに個々に接続され、遊技を進行させるための遊技制御装置とを備えるスロットマシンにおいて、
前記各回転リールは、
前記複数種類の図柄が所定の間隔毎に表示された帯状のリールテープと、
前記リールテープを外周に巻き付けるリール本体とから構成され、
隙間を保って左右方向に隣接する２個の回転リールの一方の回転リールの前記リールテープには、
当該リールテープの帯の長さ方向の途中に位置し、前記隙間に向かって所定の形状を成して張り出す凸部を設け、
前記２個の回転リールの他方の回転リールの前記リールテープには、
前記隙間を挟んで前記凸部と対向する縁部に位置し、前記凸部の形状と同じ形に凹んだ凹部を設け、
前記遊技制御装置には、
役の当選の可否を抽選により決定するための役抽選手段と、
前記役抽選手段の抽選結果、及び前記ストップスイッチのそれぞれの操作にもとづいて、前記駆動手段の駆動を制御することで、当該操作に対応する前記回転リールを停止制御するためのリール停止制御手段とを備え、
前記リール停止制御手段には、
前記凸部と前記凹部とをそれぞれ有する前記回転リールの停止制御を行うことで、前記凸部と前記凹部とを同一の前記ライン上に停止表示させるための特定停止制御手段と、
前記役抽選手段により役が当選している場合に、役に外れている場合に比較して、前記特定停止制御手段により停止制御を実行する確率が高く設定されたリール停止位置選択手段とを備えていることを特徴とするスロットマシン。
【請求項２】
請求項１に記載のスロットマシンであって、
前記凸部と前記凹部とは、
前記リールテープに表示された図柄の表示位置に設けられていることを特徴とするスロットマシン。
【請求項３】
請求項２に記載のスロットマシンであって、
前記凸部は、
当該凸部を有する前記リールテープに表示された、役を構成する特定図柄から、前記回転リールの回転方向の後方に、所定のコマ数離れた位置に設けられていることを特徴とするスロットマシン。
【請求項４】
請求項２又は３に記載のスロットマシンであって、
前記リールテープに表示された図柄には、同じ種類である複数の図柄を少なくとも一種類含み、
前記凸部を同形凸部とし、
前記同形凸部を有する前記リールテープには、前記同形凸部の図柄の表示位置に設けられた図柄と同じ種類の図柄であって別の図柄の表示位置に、前記同形凸部とは異なる形状に張り出した異形凸部を設け、
前記特定停止制御手段は、
前記同形凸部と前記凹部とを同一の前記ライン上に停止表示させる同形停止位置と、
前記異形凸部と前記凹部とを同一の前記ライン上に停止表示させる異形停止位置とに停止制御可能とし、
前記リール停止位置選択手段は、
前記役抽選手段により役が当選している場合に、役に外れている場合に比較して、前記同形停止位置が選択される確率を高く設定し、
役に外れている場合に、役が当選している場合に比較して、前記異形停止位置が選択される確率を高く設定するようにしていることを特徴とするスロットマシン。
【請求項５】
請求項１〜４のいずれか１項に記載のスロットマシンであって、
前記凹部を第１凹部とし、
前記第１凹部を有する前記リールテープには、
前記第１凹部と異なる位置に設けられ、前記凸部の形状と異なる形状に凹んだ第２凹部を設け、
前記特定停止制御手段は、
前記凸部と前記第１凹部とを同一の前記ライン上に停止表示させる第１停止位置と、
前記凸部と前記第２凹部とを同一の前記ライン上に停止表示させる第２停止位置とに停止制御可能とし、
前記リール停止位置選択手段は、
前記役抽選手段により役が当選している場合に、役に外れている場合に比較して、前記第１停止位置が選択される確率を高く設定し、
役に外れている場合に、役が当選している場合に比較して、前記第２停止位置が選択される確率を高く設定するようにしていることを特徴とするスロットマシン。
【請求項６】
外周に複数種類の図柄が表示され、左右方向に横並びに並んだ複数個の回転リールと、
前記複数個の回転リールが臨む表示窓と、
前記表示窓に表示され、前記複数個の回転リールにまたがり、当該回転リールの図柄の役の入賞の判定を行うための複数本のラインと、
前記回転リールを個別に回転可能な駆動手段と、
メダルの投入を条件に、前記駆動手段を駆動することにより、前記回転リールの回転を開始させるためのスタートスイッチと、
前記各回転リールにそれぞれ対応し、前記駆動手段の駆動を停止させることで、当該回転リールの回転を個別に停止可能な複数個のストップスイッチと、
前記駆動手段、前記スタートスイッチ及び前記ストップスイッチに個々に接続され、遊技を進行させるための遊技制御装置とを備えるスロットマシンにおいて、
前記各回転リールは、
前記複数種類の図柄が所定の間隔毎に表示された帯状のリールテープと、
前記リールテープを外周に巻き付けるリール本体とから構成され、
隙間を保って左右方向に隣接する２個の回転リールの一方の回転リールの前記リールテープには、
当該リールテープの帯の長さ方向の途中に位置し、前記隙間に向かって張り出す第１凸部を設け、
前記２個の回転リールの他方の回転リールの前記リールテープには、
前記隙間を挟んで前記第１凸部と対向する縁部に位置し、前記隙間に向かって張り出すとともに、前記第１凸部の表裏方向に重なり合う第２凸部を設け、
前記第１凸部には、図柄の一部を表示し、
前記第２凸部には、図柄の残る一部を表示し、
前記第２凸部と前記第２凸部とのうち、前記リールテープの表面側に重なり合う一方の凸部には、他方の凸部に表示された図柄が透過して見える透明部を設け、
前記遊技制御装置には、
役の当選の可否を抽選により決定するための役抽選手段と、
前記役抽選手段の抽選結果、及び前記ストップスイッチのそれぞれの操作にもとづいて、前記駆動手段の駆動を制御することで、当該操作に対応する前記回転リールを停止制御するためのリール停止制御手段とを備え、
前記リール停止制御手段には、
前記第１凸部と前記第２凸部とをそれぞれ有する前記回転リールの停止制御を行うことで、前記第１凸部と前記第２凸とが表裏方向に重なり合った状態で同一の前記ライン上に停止表示させるための特定停止制御手段と、
前記役抽選手段により役が当選している場合に、役に外れている場合に比較して、前記特定停止制御手段により停止制御を実行する確率が高く設定されたリール停止位置選択手段とを備えていることを特徴とするスロットマシン。
【請求項７】
請求項６に記載のスロットマシンであって、
前記第１凸部と前記第２凸部とは、
前記リールテープに表示された図柄の表示位置に設けられていることを特徴とするスロットマシン。
【請求項８】
請求項７に記載のスロットマシンであって、
前記第１凸部と前記第２凸部とのうち、少なくとも一方の凸部は、
当該凸部を有する前記リールテープに表示された、役を構成する特定図柄から、前記回転リールの回転方向の後方に、所定のコマ数離れた位置に設けられていることを特徴とするスロットマシン。
【発明の詳細な説明】
【技術分野】
【０００１】
この発明は、スロットマシンに関し、特にリールテープの縁に凹部及び凸部を設け、凹部と凸部とを同一ライン上に停止するようにリールの動作を制御しようとするものである。
【背景技術】
【０００２】
従来、この種のスロットマシンとしては、特定図柄が配置されたリールテープの端部を隣接するリールの回転を妨げない位置まで拡張し、拡張した部位に特定図柄を通常よりも大きな図柄をはみ出して表したものが知られている（例えば特許文献１の段落番号「００５０」〜「００５１」参照）。
【特許文献１】特開２００５−２４５６０３号公報
【発明の開示】
【発明が解決しようとする課題】
【０００３】
しかし、上記した従来のスロットマシンでは、役の抽選やリールの停止制御とは関係がなく、特定図柄が配置されたリールテープの端部を拡張し、図柄を通常よりも大きくはみ出して記載することによって、単にリールの回転を把握し、特定図柄を狙ってストップスイッチを操作するための目印にすぎないといった問題点があった。
そこで、各請求項にそれぞれ記載された各発明は、上記した従来の技術の有する問題点に鑑みてなされたものであり、その目的とするところは、次の点にある。
（請求項１）
すなわち、請求項１に記載の発明は、次の点を目的とする。
【０００４】
すなわち、請求項１に記載の発明は、役抽選手段により役が当選している場合に、役に外れている場合に比較して、凸部と凹部とが同一のライン上に停止表示される確率を高くすることで、凸部と凹部とが同一のライン上に停止表示されることが通常よりも頻繁に起こることを遊技者が直接肌で感じることで、役抽選の結果が当選であることを知ることができるスロットマシンを提供しようとするものである。
（請求項２）
請求項２に記載の発明は、上記した請求項１に記載の発明の目的に加え、次の点を目的とする。
【０００５】
すなわち、請求項２に記載の発明は、図柄をライン上に停止表示させるリール停止制御と同様の停止制御によって、凸部と凹部とが同一のライン上に停止表示させることができるとともに、遊技者にとっても、図柄と同じようにライン上に停止すれば、凸部と凹部とが同一のライン上に停止表示されていることを判別し易いスロットマシンを提供しようとするものである。
（請求項３）
請求項３に記載の発明は、上記した請求項２に記載の発明の目的に加え、次の点を目的とする。
【０００６】
すなわち、請求項３に記載の発明は、ストップスイッチの操作が遅れて狙っていた特定図柄の位置よりも後方に遅れて停止することになったときに、凸部と凹部とが同一のライン上に停止表示させ易いスロットマシンを提供しようとするものである。
（請求項４）
請求項４に記載の発明は、上記した請求項２又は３に記載の発明の目的に加え、次の点を目的とする。
【０００７】
すなわち、凸部とは形状の異なる異形凸部とを設け、役抽選手段により役が当選している場合に、役に外れている場合に比較して、凹部と凸部とが同一のライン上に停止表示される確率を凹部と異形凸部とが同一のライン上に停止表示される確率よりも高くすることで、凹部と凸部とがとが同一のライン上に停止表示されることが凹部と異形凸部とが同一のライン上に停止表示されることよりも頻繁に起こることを遊技者が直接肌で感じることで、役抽選の結果が当選であることを知ることができるスロットマシンを提供しようとするものである。
（請求項５）
請求項５に記載の発明は、上記した請求項１〜４のいずれか１項に記載の発明の目的に加え、次の点を目的とする。
【０００８】
すなわち、請求項５に記載の発明は、形状の異なる第１凹部と第２凹部を設け、役抽選手段により役が当選している場合に、役に外れている場合に比較して、凸部と第１凹部とが同一のライン上に停止表示される確率を凸部と第２凹部とが同一のライン上に停止表示される確率よりも高くすることで、凸部と第１凹部とが同一のライン上に停止表示されることが凸部と第２凹部とが同一のライン上に停止表示されることよりも頻繁に起こることを遊技者が直接肌で感じることで、役抽選の結果が当選であることを知ることができるスロットマシンを提供しようとするものである。
（請求項６）
請求項６に記載の発明は、次の点を目的とする。
【０００９】
すなわち、請求項６に記載の発明は、並んだリールテープに互いのリールテープ方向に突出した凸部同士が、同一のライン上に停止表示した際に表示方向に重なり合うように配置するとともに、表側の凸部に透明部を設けることで、互いの凸部に表示した図柄の一部を合成して図柄を表示可能とし、役抽選手段により役が当選している場合に、役に外れている場合に比較して、凸部同士が同一のライン上に停止表示される確率を高くすることで、凸部同士によって図柄が表されることが通常よりも頻繁に起こることを遊技者が直接肌で感じることで、役抽選の結果が当選であることを知ることができるスロットマシンを提供しようとするものである。
（請求項７）
請求項７に記載の発明は、上記した請求項６に記載の発明の目的に加え、次の点を目的とする。
【００１０】
すなわち、請求項７に記載の発明は、図柄をライン上に停止表示させるリール停止制御と同様の停止制御によって、凸部と凹部とが同一のライン上に停止表示させることができるとともに、遊技者にとっても、図柄と同じようにライン上に停止すれば、第１凸部と第１凸部とが同一のライン上に停止表示されていることを判別し易いスロットマシンを提供しようとするものである。
（請求項８）
請求項８に記載の発明は、上記した請求項７に記載の発明の目的に加え、次の点を目的とする。
【００１１】
すなわち、請求項８に記載の発明は、ストップスイッチの操作が遅れて狙っていた特定図柄の位置よりも後方に遅れて停止することになったときに、第１凸部と第２凸部とが同一のライン上に停止表示させ易いスロットマシンを提供しようとするものである。
【課題を解決するための手段】
【００１２】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１３】
第１に、スロットマシン(10)は、例えば図１及び図２に示すように、次の構成を備える。
（１）回転リール(31〜33)
回転リール(31〜33)は、複数種類（例えば７種類（「７」、「プラム」、「チェリー」他））であって、かつ、複数個（例えば２１個）の図柄から構成される図柄列を繰り返し変動表示可能なものである。回転リール(31〜33)は、複数個（例えば３個）の集合体によってリールユニット(30)を構成する。
【００１４】
なお、リールユニット(30)を例示したが、これに限定されず、複数種類であって、かつ、複数個の図柄からなる図柄列を繰り返し変動表示可能なものであれば、液晶等の画像を表示する装置を用いてもよい。
また、図柄の例として、「７」、「プラム」、「チェリー」の３つを例示したが、図柄の種類及び図柄の数のいずれも複数であればよく、図柄の数、種類はこれに限らない。
【００１５】
さらに、回転リール(31〜33）の数は、３個と例示したが、これに限らず、例えば２個や４個であってもよい。
（２）表示窓(20)
表示窓(20)は、例えば図２に示すように、透明な方形の窓であって、回転リール(31〜33）が臨んでいるものである。
【００１６】
該表示窓(20)を介して、スロットマシンの内部に設置された回転リール(31〜33）を目視可能としている。
また、表示窓(20)には、回転リール(31〜33）による図柄列の変動表示が行われ、各回転リール(31〜33）ごとに、複数個の図柄（例えば３個）が視認可能な状態で停止表示される。
【００１７】
（３）ライン(40〜44)
ライン(40〜44)は、例えば図２に示すように、表示窓(20)に表示されている。
ライン(40〜44)は、複数個の回転リール(31〜33）にまたがり、当該回転リール(31〜33）の役の入賞の判定を行うためのものである。
ラインは、図２に示すように、複数本（例えば５本）表示されている。
【００１８】
ラインの表示数は、５本に限られない。ラインの表示数は、３本でも６本であってもよい。
（４）駆動手段
駆動手段は、リールユニットに設けられ、複数個のリールを個別に回転駆動するものである。
【００１９】
駆動源は、リールモータ(34〜36)が用いられる。
（５）スタートスイッチ(80)
スタートスイッチ(80)は、遊技媒体（例えばメダル）の投入を条件に、リール(31〜33）による図柄列の変動表示を開始させるためのものである。
なお、遊技媒体として、メダルを例示したが、これに限定されず、例えばカードの度数等を用いてもよい。
【００２０】
また、遊技に供するための遊技媒体であるメダルの投入は、メダルをメダル投入口(60)から直接、投入してもよいし、或いは、メダル投入口(60)から予め投入することによりクレジットされたメダルを、ベットスイッチ(70〜72)の操作により投入するようにしてもよいし、更には、その双方を組み合わせてもよい。
（６）ストップスイッチ(100〜102)
ストップスイッチ(100〜102)は、複数個、例えば３個有り、回転リール(31〜33)による図柄列の変動表示を停止可能なものである。
【００２１】
なお、ストップスイッチ(100〜102)の個数として、３個を例示したが、これに限定されず、２個、或いは４個以上設けてもよい。
（７）遊技制御装置(200)
遊技制御装置(200)は、回転リール(31〜33）、スタートスイッチ(80)、複数個（例えば３個）のストップスイッチ(100〜102)にそれぞれ接続され、スタートスイッチ(80)の操作を条件に、回転リール(31〜33)の図柄列の変動表示を開始させ、ストップスイッチ(100〜102)の操作にもとづいて回転リール(31〜33)による図柄列の変動表示を個別に停止させることなどで遊技を進行するためのものである。
【００２２】
第２に、各回転リール(31〜33)は、次の構成を備える。
（８）リールテープ(37〜39)
リールテープ(37〜39)は、図３に示すように、帯状に形成している。
リールテープ(37〜39)には、複数種類の図柄を所定の間隔で配置し図柄列を表示している。
【００２３】
（９）リール本体(30a)
リール本体(30a)は、例えば図３に示すように、リールテープ(37〜39)を、その外周に巻き付けるためのものである。
第３に、隙間を保って左右方向に隣接する２個の回転リール(31〜33）の一方の回転リール(31〜33）のリールテープ(37〜39)には、例えば図４に示すように、当該リールテープ(37〜39)の帯の長さ方向の途中に位置し、隙間に向かって所定の形状を成して張り出す凸部(53,56)を設けている。
【００２４】
第４に、２個の回転リール(31〜33）の他方の回転リール(31〜33）のリールテープ(37〜39)には、例えば図４に示すように、隙間を挟んで凸部(53,56)と対向する縁部に位置し、凸部(53,56)の形状と同じ形に凹んだ凹部(例えば第１凹部51,54)を設けている。
第５に、遊技制御手段には、例えば図１に示すように、次の構成を備える。
（１０）役抽選手段(310)
役抽選手段(310)は、役の当選の可否を抽選により決定するためのものである。
【００２５】
（１１）リール停止制御手段(320)
リール停止制御手段(320)は、役抽選手段(310)の抽選結果、及びストップスイッチ(100〜102)のそれぞれの操作にもとづいて、駆動手段の駆動を制御することで、当該操作に対応する回転リール(31〜33）を停止制御するためのものである。
第６に、リール停止制御手段(320)には、例えば図１に示すように、次の構成を備える。
【００２６】
（１２）特定停止制御手段(321)
特定停止制御手段(321)は、凸部(53,56)と凹部(例えば第１凹部51,54)とをそれぞれ有する回転リール(31〜33）の停止制御を行うことで、凸部(53,56)と凹部(例えば第１凹部51,54)とを同一のライン上に停止表示させるためのものである。
（１３）リール停止位置選択手段(322)
リール停止位置選択手段(322)は、役抽選手段(310)により役が当選している場合に、役に外れている場合に比較して、特定停止制御手段(321)により停止制御を実行する確率を高く設定するためのものである。
（請求項２）
請求項２に記載の発明は、上記した請求項１に記載の発明の特徴点に加え、次の点を特徴とする。
【００２７】
すなわち、凸部(53,56)と凹部(例えば第１凹部51,54)とは、リールテープ(37〜39)に表示された図柄の表示位置に設けられている。
（請求項３）
請求項３に記載の発明は、上記した請求項１又は請求項２に記載の発明の特徴点に加え、次の点を特徴とする。
【００２８】
すなわち、凸部(53,56)は、当該凸部(53,56)を有するリールテープ(37〜39)に表示された、役を構成する特定図柄から、回転リール(31〜33）の回転方向の後方に、所定のコマ数離れた位置に設けられている。
役を構成する特定図柄とは、入賞役として遊技者に対して何らかの利益が付与される図柄をいい、例えば「７」がこれに当たる。
【００２９】
役を構成する特定図柄は、「７」に限られない。
所定のコマ数は、例えば４コマである。所定のコマ数は、３コマでも、５コマであってもよい。
（請求項４）
請求項４に記載の発明は、上記した請求項２又は３に記載の発明の特徴点に加え、次の点を特徴とする。
【００３０】
第１に、リールテープ(37〜39)に表示された図柄には、同じ種類である複数の図柄を少なくとも一種類含むものである。
同じ種類の図柄には、例えば「チェリー」の図柄であるなら、同じ「チェリー」の図柄同士が該当する。「複数の図柄」であるから、２個以上であればよい。
第２に、凸部を同形凸部(53,56)とし、
同形凸部(53,56)を有するリールテープ(37〜39)には、同形凸部(53,56)の図柄の表示位置に設けられた図柄と同じ種類の図柄であって別の図柄の表示位置に、同形凸部(53,56)とは異なる形状に張り出した異形凸部(58A,58B)を設けている。
【００３１】
第３に、特定停止制御手段(321)は、同形凸部(53,56)と凹部とを同一のライン上に停止表示させる同形停止位置と、異形凸部(58A,58B)と凹部とを同一のライン上に停止表示させる異形停止位置とに停止制御可能とするためのものである。
第４に、リール停止位置選択手段(322)は、役抽選手段(310)により役が当選している場合に、役に外れている場合に比較して、同形停止位置が選択される確率を高く設定し、役に外れている場合に、役が当選している場合に比較して、異形停止位置が選択される確率を高く設定するためのものである。
（請求項５）
請求項５に記載の発明は、上記した請求項１〜４のいずれか１項に記載の発明の特徴点に加え、次の点を特徴とする。
【００３２】
第１に、凹部を第１凹部(51,54)とし、第１凹部(51,54)を有するリールテープ(37〜39)には、第１凹部(51,54)と異なる位置に設けられ、凸部(53,56)の形状と異なる形状に凹んだ第２凹部(52,55)を設けている。
第２に、特定停止制御手段(321)は、凸部(53,56)と第１凹部(51,54)とを同一のライン上に停止表示させる第１停止位置と、凸部(53,56)と第２凹部(52,55)とを同一のライン上に停止表示させる第２停止位置とに停止制御可能とするためのものである。
【００３３】
第３に、リール停止位置選択手段(322)は、役抽選手段(310)により役が当選している場合に、役に外れている場合に比較して、第１停止位置が選択される確率を高く設定し、役に外れている場合に、役が当選している場合に比較して、第２停止位置が選択される確率を高く設定するためのものである。
（請求項６）
請求項６に記載の発明は、次の点を特徴とする。
【００３４】
第１に、スロットマシン(10)は、例えば図１及び図２に示すように、次の構成を備える。
（１）回転リール(31〜33)
回転リール(31〜33)は、複数種類（例えば７種類（「７」、「プラム」、「チェリー」他）であって、かつ、複数個（例えば２１個）の図柄から構成される図柄列を繰り返し変動表示可能なものである。回転リール(31〜33)は、例えば図３に示すように、複数個（例えば３個）の集合体によってリールユニット(30)を構成する。
【００３５】
なお、リールユニット(30)を例示したが、これに限定されず、複数種類であって、かつ、複数個の図柄からなる図柄列を繰り返し変動表示可能なものであれば、液晶等の画像を表示する装置を用いてもよい。
また、図柄の例として、「７」、「プラム」、「チェリー」の３つを例示したが、図柄の種類及び図柄の数のいずれも複数であればよく、図柄の数、種類はこれに限らない。
【００３６】
さらに、回転リール(31〜33）の数は、３個と例示したが、これに限らず、例えば２個や４個であってもよい。
（２）表示窓(20)
表示窓(20)は、図２に示すように、透明な方形の窓であって、回転リール(31〜33）が臨んでいるものである。
【００３７】
該表示窓(20)を介して、スロットマシンの内部に設置された回転リール(31〜33）を目視可能としている。
また、表示窓(20)には、回転リール(31〜33）による図柄列の変動表示が行われ、各回転リール(31〜33）ごとに、複数個の図柄（例えば３個）が視認可能な状態で停止表示される。
【００３８】
（３）ライン(40〜44)
ライン(40〜44)は、例えば図２に示すように、表示窓に表示されている。
ライン(40〜44)は、複数個の回転リール(31〜33）にまたがり、当該回転リール(31〜33）の役の入賞の判定を行うためのものである。
ラインは、図２に示すように、複数本（例えば５本）表示されている。
【００３９】
ラインの表示数は、５本に限られない。ラインの表示数は、３本でも６本であってもよい。
（４）駆動手段
駆動手段は、リールユニットに設けられ、複数個のリールを個別に回転駆動するものである。
【００４０】
駆動源は、リールモータ(34〜36)が用いられる。
（５）スタートスイッチ(80)
スタートスイッチ(80)は、遊技媒体（例えばメダル）の投入を条件に、リール(31〜33）による図柄列の変動表示を開始させるためのものである。
なお、遊技媒体として、メダルを例示したが、これに限定されず、例えばカードの度数等を用いてもよい。
【００４１】
また、遊技に供するための遊技媒体であるメダルの投入は、メダルをメダル投入口(60)から直接、投入してもよいし、或いは、メダル投入口(60)から予め投入することによりクレジットされたメダルを、ベットスイッチ(70〜72)の操作により投入するようにしてもよいし、更には、その双方を組み合わせてもよい。
（６）ストップスイッチ(100〜102)
ストップスイッチ(100〜102)は、複数個、例えば３個有り、回転リール(31〜33)による図柄列の変動表示を停止可能なものである。
【００４２】
なお、ストップスイッチ(100〜102)の個数として、３個を例示したが、これに限定されず、２個、或いは４個以上設けてもよい。
（７）遊技制御装置
遊技制御装置(200)は、リール(31〜33）、スタートスイッチ(80)、複数個（例えば３個）のストップスイッチ(100〜102)にそれぞれ接続され、スタートスイッチ(80)の操作を条件に、回転リール(31〜33)の図柄列の変動表示を開始させ、ストップスイッチ(100〜102)の操作にもとづいて回転リール(31〜33)による図柄列の変動表示を個別に停止させることなどで遊技を進行するためのものである。
【００４３】
第２に、各回転リール(31〜33）は、例えば図３に示すように、次の構成を備える。
（８）リールテープ(37〜39)
リールテープ(37〜39)は、帯状に形成している。
リールテープ(37〜39)には、複数種類の図柄を所定の間隔で配置し図柄列を表示している。
【００４４】
（９）リール本体(30a)
リール本体(30a)は、例えば図３に示すように、リールテープ(37〜39)を、その外周に巻き付けるためのものである。
第３に、隙間を保って左右方向に隣接する２個の回転リール(31〜33）の一方の回転リール(31〜33）のリールテープ(37〜39)には、例えば図５に示すように、当該リールテープ(37〜39)の帯の長さ方向の途中に位置し、隙間に向かって張り出す第１凸部(57)を設けている。
【００４５】
第４に、２個の回転リール(31〜33）の他方の回転リール(31〜33）のリールテープ(37〜39)には、例えば図５に示すように、隙間を挟んで第１凸部(57)と対向する縁部に位置し、隙間に向かって張り出すとともに、第１凸部(57)の表裏方向に重なり合う第２凸部(58)を設けている。
第５に、第１凸部(57)には、例えば図５に示すように、図柄の一部を表示している。
【００４６】
第６に、第２凸部(58)には、例えば図５に示すように、図柄の残る一部を表示している。
第７に、第１凸部(57)と第２凸部(58)のうち、リールテープ(37〜39)の表面側に重なり合う一方の凸部(57,58)には、例えば図６に示すように、他方の凸部(58,57)に表示された図柄が透過して見える透明部(59)を設けている。
【００４７】
第８に、遊技制御装置は、図１に示すように、次の点を特徴とする。
（１０）役抽選手段(310)
役抽選手段(310)は、役の当選の可否を抽選により決定するためのものである。
（１１）リール停止制御手段(320)
リール停止制御手段(320)は、役抽選手段(310)の抽選結果、及びストップスイッチ(100〜102)のそれぞれの操作にもとづいて、駆動手段の駆動を制御することで、当該操作に対応する回転リール(31〜33）を停止制御するためのものである。
【００４８】
（１２）リール停止位置選択手段(322)
リール停止位置選択手段(322)は、役抽選手段(310)により役が当選している場合に、役に外れている場合に比較して、特定停止制御手段(321)により停止制御を実行する確率を高く設定するためのものである。
（請求項７）
請求項７に記載の発明は、上記した請求項６記載の発明の特徴点に加え、次の点を特徴とする。
【００４９】
すなわち、第１凸部(57)と第２凸部(58)とは、リールテープ(37〜39)に表示された図柄の表示位置に設けられている。
（請求項８）
請求項８に記載の発明は、上記した請求項７に記載の発明の特徴点に加え、次の点を特徴とする。
【００５０】
すなわち、第１凸部(57)と第２凸部(58)とのうち、少なくとも一方の凸部(57,58)は、当該凸部(57,58)を有するリールテープ(37〜39)に表示された、役を構成する特定図柄から、回転リール(31〜33）の回転方向の後方に、所定のコマ数離れた位置に設けられている。
凸部(57,58)は、当該凸部(57,58)を有するリールテープ(37〜39)に表示された、役を構成する特定図柄から、回転リール(31〜33）の回転方向の後方に、所定のコマ数離れた位置に設けられている。
【００５１】
特定図柄は、「７」に限られない。
所定のコマ数は、例えば４コマである。所定のコマ数は、３コマでも、５コマであってもよい。
【発明の効果】
【００５２】
本発明は、以上のように構成されているので、以下に記載されるような効果を奏する。
（請求項１）
請求項１に記載の発明によれば、次のような効果を奏する。
すなわち、請求項１に記載の発明によれば、役抽選手段により役が当選している場合に、役に外れている場合に比較して、凸部と凹部とが同一のライン上に停止表示される確率を高くすることで、凸部と凹部とが同一のライン上に停止表示されることが通常よりも頻繁に起こることを遊技者が直接肌で感じることで、役抽選の結果が当選であることを知ることができるスロットマシンを提供することができる。
（請求項２）
請求項２に記載の発明によれば、上記した請求項１に記載した効果に加え、次のような効果を奏する。
【００５３】
すなわち、請求項２に記載の発明によれば、図柄をライン上に停止表示させるリール停止制御と同様の停止制御によって、凸部と凹部とが同一のライン上に停止表示させることができるとともに、遊技者にとっても、図柄と同じようにライン上に停止すれば、凸部と凹部とが同一のライン上に停止表示されていることを判別し易いスロットマシンを提供することができる。
（請求項３）
請求項３に記載の発明によれば、上記した請求項２に記載の発明の効果に加え、次のような効果を奏する。
【００５４】
すなわち、請求項３に記載の発明によれば、ストップスイッチの操作が遅れて狙っていた特定図柄の位置よりも後方に遅れて停止することになったときに、凸部と凹部とが同一のライン上に停止表示させ易いスロットマシンを提供することができる。
（請求項４）
請求項４に記載の発明は、上記した請求項２又は３に記載の発明の効果に加え、次のような効果を奏する。
【００５５】
すなわち、凸部とは形状の異なる異形凸部とを設け、役抽選手段により役が当選している場合に、役に外れている場合に比較して、凹部と凸部とが同一のライン上に停止表示される確率を凹部と異形凸部とが同一のライン上に停止表示される確率よりも高くすることで、凹部と凸部とがとが同一のライン上に停止表示されることが凹部と異形凸部とが同一のライン上に停止表示されることよりも頻繁に起こることを遊技者が直接肌で感じることで、役抽選の結果が当選であることを知ることができるスロットマシンを提供することができる。
（請求項５）
請求項５に記載の発明によれば、上記した請求項１〜４のいずれか１項に記載の発明の効果に加え、次のような効果を奏する。
【００５６】
すなわち、請求項５に記載の発明によれば、形状の異なる第１凹部と第２凹部を設け、役抽選手段により役が当選している場合に、役に外れている場合に比較して、凸部と第１凹部とが同一のライン上に停止表示される確率を凸部と第２凹部とが同一のライン上に停止表示される確率よりも高くすることで、凸部と第１凹部とが同一のライン上に停止表示される確率を凸部と第２凹部とが同一のライン上に停止表示される確率よりも頻繁に起こることを遊技者が直接肌で感じることで、役抽選の結果が当選であることを知ることができるスロットマシンを提供することができる。
（請求項６）
請求項６に記載の発明によれば、次のような効果を奏する。
【００５７】
すなわち、請求項5に記載の発明によれば、並んだリールテープに互いのリールテープ方向に突出した凸部同士が、同一のライン上に停止表示した際に表示方向に重なり合うように配置するとともに、表側の凸部に透明部を設けることで、互いの凸部に表示した図柄の一部を合成して図柄を表示可能とし、役抽選手段により役が当選している場合に、役に外れている場合に比較して、凸部同士が同一のライン上に停止表示される確率を高くすることで、凸部同士によって図柄が表されることが通常よりも頻繁に起こることを遊技者が直接肌で感じることで、役抽選の結果が当選であることを知ることができるスロットマシンを提供することができる。
（請求項７）
請求項７に記載の発明によれば、上記した請求項６に記載の発明の効果に加え、次のような効果を奏する。
【００５８】
すなわち、請求項６に記載の発明によれば、図柄をライン上に停止表示させるリール停止制御と同様の停止制御によって、凸部と凹部とが同一のライン上に停止表示させることができるとともに、遊技者にとっても、図柄と同じようにライン上に停止すれば、第１凸部と第１凸部とが同一のライン上に停止表示されていることを判別し易いスロットマシンを提供することができる。
（請求項８）
請求項８に記載の発明によれば、上記した請求項に７記載の発明の効果に加え、次のような効果を奏する。
【００５９】
すなわち、請求項８に記載の発明によれば、ストップスイッチの操作が遅れて狙っていた特定図柄の位置よりも後方に遅れて停止することになったときに、第１凸部と第２凸部とが同一のライン上に停止表示させ易いスロットマシンを提供することができる。
【発明を実施するための最良の形態】
【００６０】
（図面の説明）
図１〜図６は、本発明の実施の形態の一例をそれぞれ示すものである。
図１はスロットマシンの動作を説明するためのブロック図、図２はスロットマシンの概略正面図、図３はリールユニットの斜視図、図４は第一の実施の形態のリールテープを示した一部省略正面図、図５は第二の実施の形態のリールテープを離反した状態を示した一部省略正面図、図６は第二の実施の形態のリールテープを表裏に重なった状態を示した一部省略正面図、図７は第三の実施の形態のリールテープを示した一部省略正面図をそれぞれ示すものである。
（スロットマシン10）
（第一の実施の形態）
図２中、10は、スロットマシンを示すものである。
【００６１】
スロットマシン10の上方の中央には、画像表示装置11を設けている。
画像表示装置11は、画像を表示可能なものであり、例えば液晶ユニットから構成されている。
なお、画像表示装置11は、液晶ユニットに限定されず、ドット・マトリックス等から構成してもよい。
【００６２】
また、画像表示装置11の左右の両側には、左右一対のスピーカ12,12が配置されている。スピーカ12,12からは、各種の効果音が発生される。
画像表示装置11の下方には、透明な方形の表示窓20を設けている。
表示窓20の内部には、表示窓20を臨むように、図柄を変動表示するためのリールユニット30を設けている。
【００６３】
なお、図柄を変動表示するために、リールユニット30を用いたが、これに限定されず、液晶等を用いてもよい。
リールユニット30は、図３に示すように、互いに隙間を挟んで配置された、左側の回転リール31、中央の回転リール32、右側の回転リール33を備えている。
リールユニット30には、図には示さないが、各回転リール31〜33を個々に回転可能な、複数個、例えば３個の回転リール31〜33と同数の３個のリールモータ(34〜36（図１参照）)とを備える。
【００６４】
なお、回転リール31〜33及びリールモータ34〜36の個数は、３個に限定されず、２個、或いは４個以上でもよい。
（回転リール31〜33）
各回転リール31〜33は、図３に示すように、リング状のリール本体30aと、このリール本体30aの外周面に巻き付けるように貼付された帯状のリールテープ37〜39とを備える。
（リールテープ37〜39）
リールテープ37〜39は、図４に示すように、向かって左側から左側の回転リール31に巻き付けられた左のリールテープ37、中央のリール32に巻き付けられた中央のリールテープ38、右側の回転リール33に巻き付けられたリールテープ39とから構成されている。
【００６５】
リールテープ37〜39は、図４に示すように、帯の長さ方向に、所定の間隔を介して配置された図柄位置に、複数種類の図柄を配置し、横並びに３本並んでいる。リールテープ37〜39は、各回転リールの回転により、上から下に向かって移動するようにみえる。
なお、リールテープ37〜39は、図３に示すように、リール本体30aに巻き付けられて環状をなしているので、ある図柄は、他の図柄に対して回転方向の後方に位置していることとなる。
（左のリールテープ37）
（凸部50）
左のリールテープ37には、図４に示すように、当該リールテープ37の帯の長さ方向の途中であって、「７」の図柄の３コマ下方の図柄表示位置の左側に、鋭角三角形状で、縁部から反図柄表示位置方向へ張り出した凸部50を設けている。
（第１凹部51）
また、左のリールテープ37には、図４に示すように、当該リールテープ37の帯の長さ方向の途中であって、「７」の図柄の１コマ下方の図柄表示位置の右側に、鋭角三角形を長さ方向に二つ並べた形状で、縁部から図柄表示位置方向へ凹んだ第１凹部51を設けている。
（第２凹部52）
さらに、左のリールテープ37には、図４に示すように、当該リールテープ37の帯の長さ方向の途中であって、「７」の図柄の３コマ上方の図柄表示位置の右側に、鋭角三角形状で、縁部から図柄表示位置方向へ凹んだ第２凹部52を設けている。
（中央のリールテープ38）
（凸部53）
中央のリールテープ38には、当該リールテープ38の帯の長さ方向の途中であって、「７」の図柄の３コマ下方の図柄表示位置の左側に、鋭角な三角形を長さ方向に二つ並べた形状で、左のリールテープ37との隙間の方向へ張り出した凸部53を設けている。
【００６６】
中央のリールテープ38の凸部53は、図４に示すように、その張り出しの形状が左のリールテープ37の第１凹部51の凹みの形状と同じ形に形成している。
一方、中央のリールテープ38の凸部53は、図４に示すように、その張り出しの形状が左のリールテープ37の第２凹部52の凹みの形状とは異なる形状をしている。
（第１凹部54）
また、中央のリールテープ38には、図４に示すように、当該リールテープ38の帯の長さ方向の途中の上部であって、「７」の図柄の３コマ下方の図柄表示位置の右に、鋭角な三角形を長さ方向に三つ並べた形状で、縁部から図柄表示位置方向へ凹んだ第１凹部54を設けている。
（第２凹部55）
さらに、中央のリールテープ38には、図４に示すように、当該リールテープ38の帯の長さ方向の途中の上部であって、「７」の図柄の５コマ下方の図柄表示位置の右に、鋭角な三角形を長さ方向に二つ並べた形状で、縁部から図柄表示位置方向へ凹んだ第２凹部55を設けている。
（右のリールテープ39）
（凸部56）
右のリールテープ39には、図４に示すように、当該リールテープ39の帯の長さ方向の途中であって、「７」の図柄の３コマ下方の図柄表示位置の左側に、鋭角な三角形を長さ方向に三つ重ねた状態で、中央のリールテープ38との隙間の方向へ張り出した凸部56を設けている。
【００６７】
右のリールテープ39の凸部56は、図４に示すように、その張り出しの形状が中央のリールテープ38の第１凹部54の凹みの形状と同じ形に形成している。
一方、右のリールテープ39の凸部56は、図４に示すように、その張り出しの形状が中央のリールテープ38の第２凹部55の凹みの形状とは異なる形状をしている。
（表示窓20）
各表示窓20には、複数段、例えば上・中・下段の計３個の位置に、それぞれ図柄が停止表示されるようにしている。
【００６８】
なお、図柄が停止表示される位置は、これに限られず、上・中上・中下、下段の計４個の位置に停止表示するようにしてもよいし、１個の位置に停止表示するようにしてもよい。
各表示窓20には、図２に示すように、図柄の停止位置を跨るように、ライン40〜44を表示している。
（ライン40〜44）
ライン40〜44は、図２に示すように、５本のライン40〜44からなっている。ライン40〜44は、役の入賞の判定を行うためのものである。
【００６９】
メダルの払出が行われる図柄の組み合わせに一致しているか否かの判断は、各ライン40〜44毎に行う。
５本のライン40〜44は、図２に示すように、上・中・下ライン40〜42、右下がりライン43、右上がりライン44の合計５本のラインからなっている。
上ライン40は、図２に示すように、３つの表示窓20の上段に停止表示された図柄を結ぶライン、中ライン41は、３つの表示窓20の中段に表示されたライン、下ライン42は、３つの表示窓20の下段に表示されたラインである。
【００７０】
右下がりライン43は、図２に示すように、左の表示窓20の上段、中央の表示窓20の中段、右の表示窓20の下段を結ぶ向かって右側が次第に低くなる斜めのラインである。
右上がりライン44は、図２に示すように、左の表示窓20の下段、中央の表示窓20の中段、右の表示窓20の上段を結ぶ向かって右側が次第に高くなる斜めのラインである。
上記のライン40〜44は、本実施の形態では、表示窓20に表示されていると説明した。
【００７１】
しかし、ライン40〜44は、役の入賞の判定を行うためのものであればよく、異なる実施の形態においては、表示窓20に表示されていなくともよい。また、ライン40〜44は、異なる実施の形態においては、役の入賞の判定を行うときにのみ、表示窓20に表示するようにしてもよい。
（メダル投入口60等）
表示窓20の下側には、図２の向かって右側に、メダル投入口60を設けている。メダル投入口60は、メダルを投入するためのものである。
【００７２】
メダル投入口60の図２の向かって左側には、複数個、例えば３個のベットスイッチ70〜72を設けている。３個のベットスイッチ70〜72のうち、図２の向かって右側のＭＡＸベットスイッチ72は、最大投入枚数、例えば３枚のクレジットメダルをスロットマシン10の内部に投入するためのものである。残る２個のベットスイッチ70〜71のうち、スロットマシン10の手前側に位置する２ベットスイッチ70は、２枚のクレジットメダルをスロットマシン10の内部に投入するためのものである。残るスロットマシン10の奥側に位置する１ベットスイッチ71は、１枚のクレジットメダルをスロットマシン10の内部に投入するためのものである。
【００７３】
なお、ベットスイッチ70〜72の個数は、３個に限定されず、単数としてもよいし、２個、或いは４個以上としてもよい。
３個のベットスイッチ70〜72の下側には、図２に示すように、スタートスイッチ80を設けている。
スタートスイッチ80は、リールユニット30の駆動を開始するためのものである。具体的には、スタートスイッチ80は、レバー状に形成され、レバーを傾けることで操作する。スタートスイッチ80を操作すると、リールユニット30の駆動が開始され、３個のリールモータ34〜36（図１参照）が回転する。
【００７４】
スタートスイッチ80の向かって右隣には、図４に示すように、複数個、例えば３個の回転リール31〜33と同数の３個のストップスイッチ100〜102を設けている。
３個のストップスイッチ100〜102は、リールユニット30の駆動を停止するためのものである。向かって左側のストップスイッチ100を操作すると、左側の回転リール31の回転が停止する。同様に、中央のストップスイッチ101を操作すると、中央の回転リール32の回転が停止する。
右側のストップスイッチ102を操作すると、右側の回転リール33の回転が停止する。
【００７５】
なお、ストップスイッチ100〜102は、３個に限定されず、回転リール31〜33やリールモータ34〜36の個数と等しければよい。
３個のストップスイッチ100〜102の下方には、図２に示すように、メダル貯留皿110を設けている。
メダル貯留皿110には、ホッパーユニット120（図１参照）から払い出されたメダルが貯留される。
（遊技制御装置200）
次に、図１を用いて、遊技制御装置200について説明する。
【００７６】
遊技制御手段200は、スロットマシン10の内部に設けられ、遊技の進行を制御するためのものである。
具体的には、遊技制御装置200は、大別すると、次の２つの手段を備える。
なお、次の（１）〜（２）の手段の説明については、後述する。
（１）メイン制御手段300
（２）サブ制御手段400
なお、遊技制御手段200の手段は、上記した（１）〜（２）に限定されない。
（メイン制御手段300）
次に、図１を用いて、メイン制御手段300について説明する。
【００７７】
メイン制御手段300は、遊技の進行を制御するためのものである。
具体的には、メイン制御手段300は、コンピュータであって、図示しないが、例えばＣＰＵを中心に構成され、ＲＯＭやＲＡＭ等の記録媒体、Ｉ／Ｏ等を備えている。
また、記録媒体は、ＲＯＭやＲＡＭに限定されず、そのほか電気的・磁気的・光学的なメモリーやディスク等でもよい。
【００７８】
メイン制御手段300のＣＰＵ（図示せず）は、記録媒体、例えばＲＯＭに記録されたプログラムを読み込むことで、図１に示すように、次の手段として機能する。
なお、次の（１）〜（６）の手段の説明については、後述する。
（１）役抽選手段310
（２）リール停止制御手段320
（３）一般遊技制御手段330
（４）特別遊技制御手段340
（５）利益付与手段350
（６）信号送信手段360
なお、メイン制御手段300の手段は、上記した（１）〜（６）に限定されない。
（メイン制御手段300の入力段）
次に、図１を用いて、メイン制御手段300の入力段について説明する。
【００７９】
メイン制御手段300の入力段には、次のパーツがそれぞれ接続されている。
なお、メイン制御手段300の入力段に接続されるパーツは、次の（１）〜（4）に限定されない。
（１）メダルセンサ61
メダルセンサ61は、メダル投入口60の内部に設けられ、メダル投入口60に投入されたメダルを検出するためのものである。
【００８０】
（２）ベットスイッチ70〜72
（３）スタートスイッチ80
（４）ストップスイッチ100〜102
（メイン制御手段300の出力段）
次に、図１を用いて、メイン制御手段300の出力段について説明する。
【００８１】
メイン制御手段300の出力段には、次のパーツがそれぞれ接続されている。
なお、メイン制御手段300の出力段に接続されるパーツは、次の（１）〜（３）に限定されない。
（１）リールモータ34〜36
（２）ホッパーユニット120
ホッパーユニット120は、スロットマシン10の内部に設けられている。
【００８２】
ホッパーユニット120は、表示窓20に停止表示された回転リール31〜33の図柄が、予め設定された図柄の組み合わせに一致する場合に、遊技者に所定枚数のメダルを払い出すためのものである。
（３）サブ制御手段400
（サブ制御手段400）
サブ制御手段400は、メイン制御手段300に接続され、メイン制御手段300から一方向に送信される信号にもとづいて、各種の報知や演出を制御するためのものである。
【００８３】
具体的には、サブ制御手段400は、コンピュータであって、図示しないが、例えばＣＰＵを中心に構成され、ＲＯＭやＲＡＭ等の記録媒体、Ｉ／Ｏ等を備えている。
なお、サブ制御手段400のＣＰＵの数は、１個に限定されず、２個以上のＣＰＵを用いてもよい。
また、記録媒体は、ＲＯＭやＲＡＭに限定されず、そのほか電気的・磁気的・光学的なメモリーやディスク等でもよい。
【００８４】
上記サブ制御手段400のＣＰＵ（図示せず）は、記録媒体、例えばＲＯＭに記録されたプログラムを読み込むことで、図１に示すように、大別すると、次の手段として機能する。
なお、次の（１）〜（３）の手段の説明については、後述する。
（１）信号受信手段410
（２）演出表示手段420
（３）効果音発生手段430
なお、サブ制御手段400は、上記した（１）〜（３）に限定されない。
（サブ制御手段400の入力段）
次に、図１を用いて、サブ制御手段400の入力段について説明する。
【００８５】
サブ制御手段400の入力段には、次のパーツが接続されている。
（１）メイン制御手段300
（サブ制御手段400の出力段）
次に、図１を用いて、サブ制御手段400の出力段について説明する。
サブ制御手段400の出力段には、次のパーツがそれぞれ接続されている。
【００８６】
（１）画像表示装置11
（２）スピーカ12,12
なお、サブ制御手段400の出力段に接続されるパーツは、上記した（１）〜（２）に限定されない。
（役抽選手段310）
役抽選手段310は、役の当選の可否を抽選により決定するためのものである。
【００８７】
役抽選手段310は、図には示さないが、抽選テーブルを用いて、役の当否を抽選により決定するものである。
まず、役の当否には、次の種類がある。
（１）役の当選
（２）ハズレ
なお、次の（３）〜（５）の役の説明については、後述する。
【００８８】
また、役は、役のうち１個だけ当選する場合のほか、複数の役が同時に２以上、当選する場合もあり、抽選手段310はいわゆるグループ抽選が可能となっている。
（３）小役
小役には、「プラム」、「チェリー」、「ベル」、「スイカ」の４種類が含まれる。
小役は、上記の５種類に限定されない。
【００８９】
（４）リプレイ（再遊技）
（５）ボーナス（特別遊技）
なお、役の種類は、上記した（３）〜（５）に限定されない。
（ボーナス）
ボーナスは、特別遊技の一例である。
【００９０】
特別遊技は、一般遊技より遊技者に有利な遊技である。
なお、特別遊技として、ボーナスを例示したが、これに限定されない。
ボーナスには、次の種類がある。
なお、ボーナスの種類は、次の（１）〜（２）に限定されない。
（１）ビックボーナス
ビックボーナスは、通常の遊技よりも有利な条件で行う遊技への移行役である。
【００９１】
すなわち、特定図柄、例えば「７」が揃って入賞することを条件に、一般遊技から、特別遊技であるビックボーナスへ移行させるための役である。
なお、特定図柄の入賞時に、メダルを払い出さなくともよいし、或いはメダルを１枚払い出すようにしてもよい。
ビックボーナスの開始後、遊技者がメダルを３枚投入すると仮定すると、トータルで約２８８枚のメダルが獲得可能であり、例えば３４５枚を超える払い出しで終了する。
【００９２】
（２）ＲＥＧ大当り
ＲＥＧ大当りは、いわゆるレギュラー・ボーナス（以下、「ＲＥＧ」という。）への移行役である。
ＲＥＧの開始後、遊技者がメダルを３枚投入すると仮定すると、トータルで約９６枚のメダルが獲得可能である。ＲＥＧは、最高１２回のゲームか、８回の入賞か、何れか先に達成された条件により終了する。
（リール停止制御手段320）
リール停止制御手段320は、役抽選手段310の抽選結果、及びストップスイッチ100〜102のそれぞれの操作にもとづいて、駆動手段（例えばリールモータ34〜36）の駆動を制御することで、当該操作に対応する回転リールを停止制御するためのものである。
【００９３】
例えば、リール停止制御手段320は、役抽選手段310の抽選結果が特定図柄「７」の当選であるときに、ストップスイッチ100〜102の操作から違和感を抱かれない所定コマ数（例えば４コマ）の範囲内での回転リール31〜33の回転で特定図柄「７」が表示窓20のライン上に停止させることができるときには、特定図柄「７」を表示窓20のライン上に停止させる一般停止制御を行う。
【００９４】
また、リール停止制御手段320は、役抽選手段310の抽選結果が特定図柄「７」の当選であるときに、ストップスイッチ100〜102の操作から違和感を抱かれない所定コマ数（例えば４コマ）の範囲内での回転リール31〜33の回転で特定図柄「７」が表示窓20のライン上に停止させることができないときには、次回のゲームにおいても上記一般停止制御を行う一般停止制御の持ち越しを行う。
【００９５】
なお、一般停止制御の持ち越しを行わないようにしてもよい。
なお、異なる実施の形態においては、上記リール停止制御手段320による一般停止制御は、役抽選手段310の抽選結果が特定図柄「７」の当選であるときに限られず、例えば小役の当選の場合に行ってもよい。
また、リール停止制御手段320は、例えば図１に示すように、次の（１）〜（２）の手段を備える。
【００９６】
なお、リール停止制御手段320の手段は、次の（１）〜（２）に限定されない。
（１）特定停止制御手段321
特定停止制御手段321は、凸部53,56と、これと同じ形に凹んだ凹部の一例である第１凹部51,54とをそれぞれ有する回転リール31〜33の停止制御を行うことで、凸部53,56と凹部の一例である第１凹部51,54とを水平の同一のライン上に停止表示させるためのものである。
【００９７】
すなわち、図４の中央のリールテープ38の二つの三角形を並べた形状に張り出した凸部53と、左のリールテープ37の二つの三角形を並べた形状に凹んだ第１凹部51とを水平の同一のライン上に停止表示させる。
また、図４の右のリールテープ39の三つの三角形を並べた形状に張り出した凸部56と、中央のリールテープ38の三つの三角形を並べた形状に凹んだ第１凹部54とを水平の同一のライン上に停止表示させる。
【００９８】
また、異なる実施の形態においては、特定停止制御手段321は、凸部53,56とこれと同じ形に凹んだ第１凹部51,54とを水平の同一のライン上に停止表示させる第１停止位置と、凸部53,56とこれと異なる形に凹んだ第２凹部52,55とを水平の同一のライン上に停止表示させる第２停止位置とに停止制御可能とするためのものである。
すなわち、第１停止位置においては、図４の中央のリールテープ38の二つの三角形を並べた形状に張り出した凸部53と、左のリールテープ37の二つの三角形を並べた形状に凹んだ第１凹部51とを水平の同一のライン上に停止表示させる。
【００９９】
また、図４の右のリールテープ39の三つの三角形を並べた形状に張り出した凸部56と、中央のリールテープ38の三つの三角形を並べた形状に凹んだ第１凹部54とを水平の同一のライン上に停止表示させる。
また、第２停止位置においては、図４の中央のリールテープ38の二つの三角形を並べた形状に張り出した凸部53と、左のリールテープ37の一つの三角形を並べた形状に凹んだ第２凹部52とを水平の同一のライン上に停止表示させる。
【０１００】
また、図４の右のリールテープ39の三つの三角形を並べた形状に張り出した凸部56と、中央のリールテープ38の二つの三角形を並べた形状に凹んだ第２凹部55とを水平の同一のライン上に停止表示させる。
上記リール停止制御手段320による役抽選手段310の抽選結果及びストップスイッチ100〜102のそれぞれの操作にもとづく回転リールの一般停止制御は、上記特定停止制御手段321による停止制御に優先する。
【０１０１】
すなわち、リール停止制御手段320は、役抽選手段310の抽選結果が特定図柄「７」の当選であるときに、ストップスイッチ100〜102の操作から違和感を抱かれない所定コマ数（例えば４コマ）の範囲内での回転リール31〜33の回転で特定図柄「７」が表示窓20のライン上に停止させることができるときには、特定停止制御手段321による停止制御を行うことなく、特定図柄「７」を表示窓20のライン上に停止させる。
【０１０２】
なお、異なる実施の形態において、上記リール停止制御手段320による停止制御が、役抽選手段310の抽選結果が特定図柄「７」の当選以外の小役の当選で行われるときには、上記リール停止制御手段320による役抽選手段310の抽選結果及びストップスイッチ100〜102のそれぞれの操作にもとづく回転リールの一般停止制御を、上記特定停止制御手段321による停止制御に優先させなくともよい。
【０１０３】
（２）リール停止位置選択手段322
リール停止位置選択手段322は、役抽選手段310により役が当選している場合に、役に外れている場合に比較して、特定停止制御手段321により停止制御を実行する確率が高く設定するためのものである。
また、異なる実施の形態においては、リール停止位置選択手段322は、役抽選手段310により役が当選している場合に、役に外れている場合に比較して、第１停止位置が選択される確率を高く設定し、役に外れている場合に、役が当選している場合に比較して、第２停止位置が選択される確率を高く設定するためのものである。
【０１０４】
特定停止制御手段321により停止制御を実行するか否かの抽選は、図には示さないが、例えば停止制御抽選テーブルを用いて決定するものである。
停止制御抽選テーブルは、少なくとも次の２種類の抽選のためのテーブルを有する。
（１）当選テーブル
当選テーブルは、役抽選手段310による抽選の結果、役が当選している場合に選択するためのものである。
【０１０５】
また、異なる実施の形態においては、当選テーブルを選択する条件は、役抽選手段310による抽選の結果が役の当選である場合に限られない。
すなわち、当選テーブルは、異なる実施の形態においては、上記リール停止制御手段320による役抽選手段310の抽選結果及びストップスイッチ100〜102のそれぞれの操作にもとづく回転リール31〜33の一般停止制御によっては、ストップスイッチ100〜102の操作タイミングでは、抽選結果に対応した入賞の役が得られないことを条件として、選択するようにしてもよい。
【０１０６】
さらに、一般停止制御の持ち越しを行ったことを条件として選択するようにしてもよい。
なお、当選テーブルは、一つに限られない。当選テーブルは、特定停止制御手段321により停止制御を実行する確率が異なるテーブルを複数備え、所定の条件の下に、いずれかのテーブルを選択し、当該選択したテーブルを当選テーブルとするようにしてもよい。
【０１０７】
（２）外れテーブル
外れテーブルは、役抽選手段310による抽選の結果、役に外れている場合に選択するためのものである。
外れテーブルは、一つに限られない。外れテーブルは、特定停止制御手段321により停止制御を実行する確率が異なるテーブルを複数備え、所定の条件の下に、いずれかのテーブルを選択し、当該選択したテーブルを外れテーブルとするようにしてもよい。
【０１０８】
当選テーブルは、外れテーブルに比較して、特定停止制御手段321により停止制御を実行する確率を高く設定している。したがって、リール停止位置選択手段322は、当選テーブルを用いて抽選をしたときには、外れテーブルを用いて抽選をしたときよりも、特定停止制御手段321により停止制御を実行するとの抽選結果がなされる確率が高くなっている。
【０１０９】
なお、実行する確率は、コマンドなどにより変更可能にしてもよい。
抽選のためのテーブルは、上記（１）及び（２）に限定されない。
抽選は、テーブルを用いたものに限られない。
また、特定停止制御手段321による凸部53,56と凹部の一例である第１凹部51,54とを水平の同一のライン上に停止表示させる停止制御と、凸部53,56と第１凹部51,54とを水平の同一のライン上の第一停止位置に、凸部53,56と第２凹部52,55とを水平の同一のライン上の第２停止位置に停止表示させる停止制御とは、一方の停止制御のみを行うようにしてもよいし、双方又は一方の停止制御を行うかを抽選により選択するようにしてもよい。
【０１１０】
また、上記実施の形態では、役抽選手段310による抽選の結果、役に外れているときには、特定停止制御手段321による停止制御を実行するか否かを外れテーブルを用いて決定していた。
そして、当選テーブルは、外れテーブルに比較して、特定停止制御手段321により停止制御を実行する確率を高く設定している。
【０１１１】
すなわち、外れテーブルを用いて抽選をしたときには、当選テーブルを用いて抽選をしたときよりも、特定停止制御手段321により停止制御を実行するとの抽選結果がなされる確率が低くなっていると説明した。
しかし、異なる実施の形態においては、役に外れているときには、外れテーブルを選択することなく、特定停止制御手段321による停止制御を行わないようにすることにより、役抽選手段310による抽選の結果、役が当選しているときにのみ、特定停止制御手段321による停止制御を行うようにしてもよい。
（一般遊技制御手段330）
一般遊技制御手段330は、一般遊技を行わせるためのものである。
（特別遊技制御手段340）
特別遊技制御手段340は、一般遊技より遊技者に有利な特別遊技、例えば各種のボーナスを行わせるためのものである。
（利益付与手段350）
利益付与手段350は、表示窓20のライン上に停止表示された３個の回転リール31〜33の図柄の組み合わせが、予め設定された所定の図柄の組み合わせ（役）に一致している場合に、予め設定された所定の枚数のメダルを払い出すためのものである。
【０１１２】
メダルの払い出しは、ホッパーユニット120を駆動させることにより、メダルを実際に払い出してもよいし、或いはクレジットメダル枚数を増加させるようにしてもよい。
（信号送信手段360）
信号送信手段360は、例えばコマンドやデータ等の信号をサブ制御手段400に送信するためのものである。
（信号受信手段410）
サブ制御手段400の信号受信手段410は、メイン制御手段300の信号送信手段360から送信された信号を受信するためのものである。
（演出表示手段420）
演出表示手段420は、演出の内容に応じた画像を、画像表示装置11に表示するためのものである。
（効果音発生手段430）
効果音発生手段430は、演出の内容に応じた画像に対応した効果音をスピーカ12,12から出力させるためのものである。
（第二の実施の形態）
次に、第二の実施の形態について、図５及び図６を用いて説明する。
【０１１３】
なお、第一の実施の形態と異なる構成・作用を備えているものについてのみ説明し、第一の実施の形態と同じ構成・作用を備えているものについては、その説明を省略する。
（リールテープ37〜39）
本実施の形態では、３本の回転リール31〜33のリールテープ37〜39のうち、例えば中央のリールテープ38と右のリールテープ39について説明する。
【０１１４】
本実施の形態では、隣接するリールテープ37〜39同士であればよく、例えば左のリールテープ37と中央のリールテープ38であってもよい。
（中央のリールテープ38）
中央のリールテープ38には、図５に示すように、当該リールテープ38の帯の長さ方向の途中であって、図柄の表示位置の右方向に、縁部から図柄表示位置方向へ方形状に突出した第１凸部57を設けている。
【０１１５】
第１凸部57は、その上部位置に、図５に示すように、「７」の図柄の一部である水平方向の一辺にあたる水平な線を表示している。
なお、第１凸部57は、「７」の水平線を表示したが、例えば「７」の図柄の右斜め上部位置から下方中央に伸びた斜めの線を表示したものであってもよく、さらには、例えば「７」の文字を水平方向の適当な位置で分割した一部を表示したものであってもよい。
【０１１６】
また、表示する図柄は、「７」の図柄でなくともよく、例えば「プラム」や「スイカ」の文字や絵柄の一部であってもよい。
（右のリールテープ39）
右のリールテープ39には、図５に示すように、当該リールテープ39の帯の長さ方向の途中であって、図柄の表示位置の左方向に、縁部から図柄表示位置方向へ方形状に突出した第２凸部58を設けている。
【０１１７】
第２凸部58は、中央のリールテープ38の第１凸部57の表面を覆うような表裏の位置関係に突出して設けられている。
第２凸部58には、図５に示すように第１凸部57に表示した「７」の図柄の一部の残りのである「７」の図柄の右斜め上部位置から下方中央に伸びた斜めの線を表示している。
第２凸部58には、図柄が透過して見える透明部59を設けている。
【０１１８】
透明部59は、図６に示すように、第１凸部57に表示した、「７」の図柄の水平方向の一辺にあたる水平な線が前方から透けて見える程度に透明に形成している。
したがって、第２凸部58は、図１の特定停止制御手段321によって、表裏方向に重なり合った状態で同一のライン上に停止し、図６に示すように、第１凸部57の表側に重なった状態になると、第１凸部57の水平線が前方から透けて見え、第２凸部58の右斜め上部位置から下方中央に伸びた斜めの線と連続的した状態に見えて、「７」の図柄が表示されたように見える。
【０１１９】
なお、第２凸部58は、「７」図柄の右斜め上部位置から下方中央に伸びた斜めの線を表示したが、第２凸部58と対応関係にあれば、例えば「７」の水平線を表示したものであってもよい。
さらには、第２凸部58と対応関係にあって「７」の図柄文字か識別できればよく、例えば「７」の文字を水平方向の適当な位置で分割した一部を表示したものであってもよい。
【０１２０】
また、表示する図柄は、第２凸部58と対応関係にあって、二つの凸部が重なることにより特定の形状や意味が把握可能のものであればよく、例えば「プラム」や「スイカ」の絵柄の一部や文字であってもよい。
また、本実施の形態では、第１凸部57が裏側で、第２凸部58が表側である例を説明したが、表裏の関係はこれに限られず、第１凸部57が表側で、第２凸部58が裏側であってもよい。ただし、この場合には、裏側の文字又は絵柄の一部を透かせて見せるように、表側となる第１凸部57に透明部59を設ける必要がある。
【０１２１】
また、本実施の形態では、第１凸部57と第２凸部58とを表裏に重ねることにより表される図柄は、「７」でなくともよい。表される図柄は、例えば「プラム」や「スイカ」であってもよい。ただし、役抽選手段310による抽選の結果、当選している場合に役に外れている場合に比較して、第１凸部57の第２凸部58とを同一のライン上に停止表示させる確率を高めていることから、役抽選の結果と第１凸部57と第２凸部58との重ね合わせによって表される図柄は、役抽選の結果と対応させことが望ましく、例えば役抽選の結果が「プラム」あるいは「スイカ」の当選であるときには、第１凸部57と第２凸部58との重ね合わせによって表される図柄は「プラム」あるいは「スイカ」であることが望ましい。
（特定停止制御手段321）
特定停止制御手段321は、第１凸部57と第２凸部58とそれぞれ有する回転リール32,33の停止制御を行うことで、第１凸部57と第２凸部58とを表裏に重なるように停止表示させるためのものである。
【０１２２】
すなわち、特定停止制御手段321は、図５の中央のリールテープ38の第１凸部57と、右のリールテープ39の第２凸部58とを水平の同一のライン上に停止表示させる。
（第三の実施の形態）
次に、第三の実施の形態について、図７を用いて説明する。
なお、第一の実施の形態と異なる構成・作用を備えているものについてのみ説明し、第一及び第二のの実施の形態と同じ構成・作用を備えているものについては、その説明を省略する。
（中央のリールテープ38）
（同形凸部53）
中央のリールテープ38には、図７に示すように、当該リールテープ38の帯の長さ方向の途中であって、「７」の図柄の３コマ下方の「チェリー」の図柄の図柄表示位置の左側に、鋭角な三角形を長さ方向に二つ並べた形状で、左のリールテープ37との隙間の方向へ張り出した凸部53（第一の実施の形態）を同形凸部として設けている。
【０１２３】
また、中央のリールテープ38には、図７に示すように、当該リールテープ38の帯の長さ方向の途中であって、「７」の図柄の１コマ下方の「チェリー」の図柄の図柄表示位置の左側に、半円状に、左のリールテープ37との隙間の方向へ張り出した異形凸部58Aを設けている。
同形凸部53と異形凸部58Aとは、図７に示すように、双方とも同じ種類の図柄である「チェリー」の図柄の図柄位置に表示されているが、その張り出し形状は異なる。
【０１２４】
同形凸部53は、図７に示すように、その張り出しの形状が左のリールテープ37の第１凹部51の凹みの形状と同じ形に形成している。
これに対して、異形凸部58Aは、図７に示すように、その張り出しの形状が左のリールテープ37の第１凹部51の凹みの形状とは異なる形に形成している。
（右のリールテープ39）
（同形凸部56）
右のリールテープ39には、図７に示すように、当該リールテープ39の帯の長さ方向の途中であって、「７」の図柄の３コマ下方の「プラム」の図柄の図柄表示位置の左側に、鋭角な三角形を長さ方向に三つ並べた形状で、中央のリールテープ38の隙間の方向へ張り出した凸部56（第一の実施の形態）を同形凸部として設けている。
【０１２５】
また、右のリールテープ39には、図７に示すように、当該リールテープ39の帯の長さ方向の途中であって、「７」の図柄の１コマ上方の「プラム」の図柄の図柄表示位置の左側に、半円状に、中央のリールテープ38との隙間の方向へ張り出した異形凸部58Bを設けている。
同形凸部56と異形凸部58Bとは、図７に示すように、双方とも同じ種類の図柄である「プラム」の図柄の図柄位置に表示されているが、その張り出し形状は異なる。
【０１２６】
同形凸部56は、図７に示すように、その張り出しの形状が中央のリールテープ38の第１凹部54の凹みの形状と同じ形に形成している。
これに対して、異形凸部58Bは、図７に示すように、その張り出しの形状が中央のリールテープ38の第１凹部54の凹みの形状とは異なる形に形成している。
（特定停止制御手段321）
特定停止制御手段321は、同形凸部53,56とこれと同じ形に凹んだ第１凹部51,54とを水平の同一のライン上に停止表示させる同形停止位置と、異形凸部58A,58Bとこれと異なる形に凹んだ第１凹部51,54とを水平の同一のライン上に停止表示させる異形停止位置とに停止制御可能とするためのものである。
【０１２７】
すなわち、同形停止位置においては、図７の中央のリールテープ38の二つの三角形を並べた形状に張り出した同形凸部53と、左のリールテープ37の二つの三角形を並べた形状に凹んだ第１凹部51とを水平の同一のライン上に停止表示させる。
また、図７の右のリールテープ39の三つの三角形を並べた形状に張り出した同形凸部56と、中央のリールテープ38の三つの三角形を並べた形状に凹んだ第１凹部54とを水平の同一のライン上に停止表示させる。
【０１２８】
また、異形停止位置においては、図７の中央のリールテープ38の半円状に張り出した異形凸部58Aと、左のリールテープ37の二つの三角形を並べた形状に凹んだ第１凹部51とを水平の同一のライン上に停止表示させる。
また、図７の右のリールテープ39の半円状に張り出した異形凸部58Bと、中央のリールテープ38の三つ三角形を並べた形状に凹んだ第１凹部54とを水平の同一のライン上に停止表示させる。
（リール停止位置選択手段322）
リール停止位置選択手段322は、役抽選手段310により役が当選している場合に、役に外れている場合に比較して、特定停止制御手段321により停止制御を実行する確率を高く設定するためのものである。
【０１２９】
また、リール停止位置選択手段322は、役抽選手段310により役が当選している場合に、役に外れている場合に比較して、同形停止位置が選択される確率を高く設定し、役に外れている場合に、役が当選している場合に比較して、異形停止位置が選択される確率を高く設定するためのものである。
【図面の簡単な説明】
【０１３０】
【図１】スロットマシンの動作を説明するためのブロック図である。
【図２】スロットマシンの概略正面図である。
【図３】リールユニットの斜視図である。
【図４】第一の実施の形態のリールテープを示した一部省略正面図である。
【図５】第二の実施の形態のリールテープが重なっていない状態を示した一部省略正面図である。
【図６】第二の実施の形態のリールテープを表裏に重なった状態を示した一部省略正面図である。
【図７】第三の実施の形態のリールテープを示した一部省略正面図である。
【符号の説明】
【０１３１】
10  スロットマシン                  11  画像表示装置
12  スピーカ
20  表示窓
30  リールニット                      30a  リール本体
31〜33  回転リール                    34〜36  リールモータ
37〜39リールテープ                    40〜44  ライン
50  凸部
51  第１凹部                          52  第２凹部
53  凸部（同形凸部：第三の実施の形態）
54  第１凹部                          55  第２凹部
56  凸部（同形凸部：第三の実施の形態）
57  第１凸部（第二の実施の形態）      58  第２凸部（第二の実施の形態）
58A 異形凸部（第三の実施の形態）      58B 異形凸部（第三の実施の形態）
59  透明部
60  メダル投入口                      61  メダルセンサ
70〜72  ベットスイッチ
80  スタートスイッチ
100〜102  ストップスイッチ
110  メダル貯留皿
120  ホッパーユニット
200  遊技制御手段
300  メイン制御手段
310  役抽選手段                      320  リール停止制御手段
321  特定停止制御手段                322  リール停止位置選択手段
330  一般遊技制御手段
340  特別遊技制御手段                350  利益付与決定手段
400  サブ制御手段                    410  信号受信手段
420  演出表示手段                    430  効果音発生手段
【図１】
2008245904.tif 000003
【図２】
2008245904.tif 000004
【図３】
2008245904.tif 000005
【図４】
2008245904.tif 000006
【図５】
2008245904.tif 000007
【図６】
2008245904.tif 000008
【図７】
2008245904.tif 000009